【事件の表示】
　特願２０００−３０５３７１「画像処理装置およびその方法」拒絶査定不服審判事件〔平成１４年　４月１９日出願公開、特開２００２−１１８７６０〕について、次のとおり審決する。
【結　論】
　本件審判の請求は、成り立たない。
【理　由】
１．手続の経緯 
　本願は、平成１２年１０月４日の出願であって、平成１７年５月９日付けで拒絶査定がなされ、これに対し、同年６月１３日に拒絶査定に対する不服審判が請求がされるとともに、同年６月２０日付けで手続補正がなされたものである。
　
　
２．平成１７年６月２０日付けの手続補正について
　平成１７年６月２０日付けの手続補正は、補正前の請求項１を削除するもの等であって、平成１８年改正前特許法第１７条の２第４項第１号に規定する請求項の削除を目的とするものであるから、適法である。
　
　
３．本願発明
　本願の請求項１ないし７に係る発明は、平成１７年６月２０日付け手続補正書により補正された明細書の記載からみて、その請求項１ないし７にそれぞれ記載されたとおりのものと認められるところ、その請求項１に係る発明（以下、「本願発明」という。）は次のとおりのものである。
「【請求項１】 
　色知覚モデルを用いて補正処理を行う画像処理方法であって、
　ユーザ指示に基づき、照明ランプの光色記号情報を入力し、
　予め保持する光色記号情報と照明特性値の対応関係を参照して、前記照明ランプの光色記号情報から相関色温度情報を取得し、
　前記相関色温度情報に基づき、前記照明ランプの相対三刺激値を求め、
　前記照明ランプの相対三刺激値に基づく前記色知覚モデルを用いた補正処理を行うことを特徴とする画像処理方法。」 
　
　
４．引用刊行物記載の発明 
　これに対して、原査定の拒絶の理由に引用された、本願出願日の前である平成１２年２月１８日に頒布された特開２０００−５００８９号公報（以下、「引用例」という。）には、図面とともに以下の事項が記載されている。
　
（ａ）
「【０００１】
【発明の属する技術分野】本発明は画像処理装置およびその方法に関し、例えば、環境光に応じたカラーマッチングを行うための画像処理装置およびその方法に関する。」
　
（ｂ）
「【００２０】入力画像を観察する際の観察条件に応じた補正処理（XYZをHJCまたはHQMに変換する処理）を行う色知覚モデルCIE CAM97sの順変換における処理内容を、図19を用いて説明する。
【００２１】まず、入力画像の観察条件情報としてステップS160で、順応視野の輝度(cd/平方メートル、通常、順応視野における白の輝度の20%が選らばれる）であるLA、光源条件における試料の相対三刺激値であるXYZ、光源条件における白色光の相対三刺激値であるXωYωZω、および、光源条件における背景の相対輝度であるYbが設定される。また、ステップS180で指定される観察条件のタイプに基づき、入力画像の観察条件情報として、ステップS170で周囲の影響の定数c、色誘導係数Nc、明度コントラスト係数FLLおよび順応度の係数Fが設定される。
【００２２】ステップS160およびS170で設定された入力画像観察条件情報に基づき、入力画像を示すXYZに対して以下のような処理が行われる。
【００２３】まず、人間の生理的な三原色として考えられているBradfordの三原色に基づき、XYZを変換してBradford錐体応答RGBが求められる(S100)。人間の視覚は常に観察光源に完全順応するわけではないので、輝度レベルと周囲条件（LAおよびF）に基づき順応度を示す変数Dを求め、この変数DおよびXωYωZωに基づき、RGBに対して不完全順応処理を行いRcGcBcに変換される(S110)。
（中略）
【００２９】
【第1実施形態】観察条件に応じて動的にプロファイルを変更する第1実施形態を説明する。
【００３０】本発明の概念を説明する図2において、11は入力デバイスに依存するデータを、入力側の環境光の白色点基準に基づくデバイスに依存しない色空間データへ変換するための変換マトリクスまたは変換ルックアップテーブル(LUT)、12は変換LUT11から得られるデータを人間の色知覚色空間JChまたはQMhへ変換するための色知覚モデルの順変換部(CAM)、13は環境光の基準白色に相対的な色知覚空間であるJCh（またはJCH）、14は照度レベルによって大きさの変化する絶対的な色知覚空間であるQMh（またはQMH）、15は人間の色知覚空間JChまたはQMhから出力側の環境光の白色点基準に基づくデバイスに依存しない色空間データへ変換するための色知覚モデルの逆変換部、16は逆変換部15から得られるデータを出力デバイスに依存する色空間データヘ変換するための変換LUTである。
【００３１】一般に、観察条件における環境光の白色点は、カラーターゲットやカラーパッチなどの色票を測色した際の標準光源の白色点とは異なる。例えば、測色の際に使用される標準光源はD50やD65であるが、実際に画像を観察する場合の環境光はライトブースのD50やD65とは限らず、白熱電球や蛍光灯などの照明光であったり、照明光と太陽光とが混合した光になる場合が多い。以下の説明では、簡単化のために、観察条件における環境光の光源特性をD50、D65およびD93とするが、実際にはメディア上の白色点のXYZ値を白色点として設定する。
【００３２】図3は本実施形態の機能構成例を示すブロック図である。図3において、41は入力プロファイル42と入力側の観察条件1とから入力側の観察条件1に依存するデータを作成するデータ作成部、43はユーザによる指定またはプロファイルによる指定に基づき色空間圧縮をJCH色空間上で行うかQMH色空間上で行うかを選択する色空間圧縮モード選択部、44および45はそれぞれ出力プロファイル46に基づきJCHまたはQMH色知覚空間上でデータに色空間圧縮を施す色空間圧縮部、47は出力プロファイル46と出力側の観察条件2とから出力側の観察条件2に依存するデータを作成するデータ作成部、48は観察条件1に依存するデータ、色空間圧縮データ、観察条件2に依存するデータおよび色知覚モデルを利用してカラーマッチングを行うカラーマッチング部である。
【００３３】図18は図3に示される機能構成を実現する装置の構成例を示すブロック図であるが、図18に示すような装置は、例えばパーソナルコンピュータのような汎用のコンピュータ装置に、図3に示す機能を実現するソフトウェアを供給することによって実現されることは言うまでもない。
（中略）
【００３７】また、カラーマッチングを行うための入出力プロファイルはHD 106に格納されるが、ハードディスクに限らず、MOなどの光ディスクを用いることもできる。」
　
（ｃ）
「【０１３５】
【第6実施形態】第6実施形態では、上記各実施形態における観察条件（例えば、図2におけるViewing Condition 1および2）をマニュアルで設定するためのグラフィカルユーザインタフェイス(GUI)の一例を説明する。
【０１３６】図25に本実施形態における観察条件のパラメータを設定するためのGUI 191を示す。
【０１３７】192は入力側の視対象における輝度を入力するためのテキストボックス、193は入力側の視対象における白色点の種類を選択するためのドロップダウンコンボボックス、194は入力側の周囲条件を選択するためのドロップダウンコンボボックス、195は入力側の色順応度合いを入力するためのテキストボックス、196は出力側の視対象における輝度を入力するためのテキストボックス、197は出力側の視対象における白色点を選択するためのドロップダウンコンボボックス、198は出力側の周囲条件を選択するためのドロップダウンコンボボックス、および、199は出力側の色順応度合いを入力するためのテキストボックスである。
【０１３８】なお、輝度は図19に示したCIE CAM97SにおけるLAに関係し、光源はXwYwZwに関係し、周囲光はc、Nc、FLLおよびFに関係し、順応度合いはDに関係する。図19に示したCIE CAM97Sでは、LAとFとに基づきDを求めているが、本実施形態ではDをマニュアルで制御できるようにする。
【０１３９】視対象における輝度は、通常、白色点の20%程度を入力する。視対象における白色点の種類は、本来、視対象における白色点のXYZ値を必要とするが、ここでは簡易化するために、使用するメディアにおいて反射率100%の白色点が存在すると仮定して光源の白色点を利用する。さらに、実際の観察条件における光源の白色点を利用した方がよいが、ここでは標準光源の種類を選択するものとする。標準光源の種類としてはA光源、C光源、D65光源、D50光源、D93光源、F2光源、F8光源およびF11光源などがある。背景の相対輝度に関しては画像を対象とするので、仮に20%程度と仮定する。周囲条件としては、周囲の相対輝度が背景の相対輝度として仮定した20%以上である場合には「平均的な明るさ」とし、それ以下の場合は「薄暗い」、ほとんど0%の場合には「暗い」とする。色順応度合いは1.0のときに完全順応に、0.0のときに順応なしになるように値を調整する。」
　
　
５．対比 
　本願発明と引用例に記載された発明（以下、「引用発明」という。）とを比較する。
　上記２（ａ）及び（ｂ）によれば、引用発明は、「色知覚モデルを用いて補正処理を行う画像処理方法」であるといえ、この点で本願発明と一致している。
　上記２（ｃ）及び引用例の図２５によれば、引用発明では、環境条件をマニュアルで設定するためのグラフィカルユーザインタフェイス(GUI）により、光源の種類を選択して設定しており、また、その光源の種類にとしては、標準光源の種類としてはA光源、C光源、D65光源、D50光源、D93光源、F2光源、F8光源およびF11光源などがあり、図２５には、光源として「D93」と表示されており、この「D93」は「記号情報」であるといえるから、本願発明と引用発明とは、「ユーザ指示に基づき、光源の記号情報を入力し」ている点で共通している。
　上記２（ｂ）及び引用例の図１９によれば、引用発明の色知覚モデルにおいて、観察条件情報として、光源条件における白色光の相対三刺激値を用いているから、引用発明は、「光源の相対三刺激値に基づく色知覚モデルを用いた補正処理を行う」点で本願発明と共通している。また、ここでの「光源」は、上記２（ｃ）によれば、引用例の図２５に示された観察条件のパラメータを設定するためのGUIにおける「光源」は、同図１９に示された色知覚モデルにおける「XwYwZw」（図１９では「XωYωZω」を示すものと認められる）、すなわち、光源条件における白色光の相対三刺激値に関係するものであるから、上記GUIにより光源の情報を入力する際の光源に対応するものといえる。
　
　すると、本願発明と引用発明とは、次の点で一致する。
「　色知覚モデルを用いて補正処理を行う画像処理方法であって、
　ユーザ指示に基づき、光源の記号情報を入力し、
　前記光源の相対三刺激値に基づく前記色知覚モデルを用いた補正処理を行うことを特徴とする画像処理方法。」 
　
　一方で、両者は、次の相違点で相違する。
　ユーザ指示に基づき入力される記号情報が、本願発明では、「照明ランプの光色記号情報」であって、また、「予め保持する光色記号情報と照明特性値の対応関係を参照して、前記照明ランプの光色記号情報から相関色温度情報を取得し、前記相関色温度情報に基づき、前記照明ランプの相対三刺激値を求め」ているのに対し、引用発明では、「照明ランプの光色記号情報」ではなく、標準光源の種類を示す記号情報を入力するものであって、また、入力する光源の情報が光源条件における白色光の相対三刺激値に関係する旨の記載があるものの、どのようにして相対三刺激値を求めているのか明確ではない点。
　
　
６．判断 
　そこで、上記相違点について検討する。 
　蛍光ランプの蛍光灯品番に表記される光色記号と相関色温度情報を含む照明特性値との対応関係は、照明メーカにより公表されており周知である。また、周囲の環境情報を入力して用いる際、照明に関する情報として、照明の色温度、種別などを記号情報として用いることは、例えば、特開平８−１４０１５８号公報（【００７０】等参照）等にて周知である。更に、色彩工学の技術分野において、相関色温度から相対三刺激値を求める方法は技術常識である。ここで、上記２（ｃ）によれば、観察条件の設定において、実際の観察条件における光源の白色点、すなわち、相対三刺激値を利用した方がよい旨が示唆されているから、引用発明に上記周知事項を採用して、ユーザ指示に基づき入力される記号情報として、標準光源の種類を示す記号情報に換えて、実際の照明ランプの「光色記号情報」を入力して、光色記号情報と相関色温度情報を含む照明特性値の対応関係を予め保持しておきこれを参照して、上記照明ランプの光色記号情報から相関色温度情報を取得し、上記相関色温度情報に基づき、上記照明ランプの相対三刺激値を求め、補正処理に用いる色知覚モデルに適用することは当業者が容易になし得たことである。
　
　また、本願発明の効果についても、当業者が引用発明及び周知事項から容易に予測し得る程度のものにすぎず、格別顕著なものがあるとはいえない。
　したがって、本願発明は、引用発明及び周知事項に基づいて当業者が容易に発明をすることができたものである。
　
　
７．むすび 
　以上のとおり、本願の請求項１に係る発明は、特許法第２９条第２項の規定により特許を受けることができないものである。
　したがって、その余の請求項について検討するまでもなく、本願は、拒絶すべきものである。 
　よって、結論のとおり審決する。